(57)【要約】【課題】第１の通信部から第２の通信部に通信方式を切り替えることが可能な通信端末において、対向機器を効率的に探索することができるようにする。【解決手段】本発明の通信端末は、通信端末と対向機器が互いに近接する場合に、通信方式切替要求に基づいて第１の無線通信部から第２の無線通信部に通信方式を切り替え、対向機器の探索時に第２の無線通信部を用いて対向機器の探索の実行をバックグラウンドで開始し、第１の無線通信部を用いて対向機器の探索に成功したとき第２の無線通信部を用いた対向機器の探索を中断し、第１の無線通信部を用いた対向機器の探索に成功した場合に第１の無線通信部から第２の無線通信部に通信方式を切り替えた後、第１の無線通信部を用いて取得される対向機器からの機器情報とセキュリティ情報に基づき第２の無線通信部を用いて対向機器との間でのペアリングを制御する。【選択図】  図３
2011155593.tif 000002
【特許請求の範囲】
【請求項１】
通信端末と対向機器との間で無線通信する第１の無線通信手段と、
前記通信端末と前記対向機器との間で無線通信する第２の無線通信手段と、
前記通信端末と前記対向機器とが互いに前記第１の無線通信手段により無線通信可能な範囲で近接する場合に、前記第１の無線通信手段から前記第２の無線通信手段に通信方式を切り替える通信方式切替要求に対する応答を前記第１の無線通信手段が前記対向機器から受信するとき、前記通信方式切替要求に基づいて、前記第１の無線通信手段から前記第２の無線通信手段に通信方式を切り替える通信方式切替制御手段と、
前記通信端末が対向機器の探索をする場合に前記第２の無線通信手段を用いて前記対向機器の探索の実行をバックグラウンドで開始するように前記第２の無線通信手段を制御し、前記第１の無線通信手段を用いて前記対向機器の探索に成功したとき、バックグラウンドで実行される前記第２の無線通信手段を用いた前記対向機器の探索を中断する機器探索制御手段と、
前記機器探索制御手段が前記第１の無線通信手段を用いた前記対向機器の探索に成功した場合に前記通信方式切替制御手段が前記第１の無線通信手段から前記第２の無線通信手段に通信方式を切り替えた後、前記第２の無線通信手段が接続要求に対する接続応答を受信するとき、前記第１の無線通信手段を用いて取得される前記対向機器からの機器情報とセキュリティ情報に基づいて、前記第２の無線通信手段を用いて前記対向機器との間でのペアリングを制御するペアリング制御手段とを備えることを特徴とする通信端末。
【請求項２】
前記機器探索制御手段が前記第１の無線通信手段を用いた前記対向機器の探索に成功しないままで前記第１の無線通信手段を用いた前記対向機器の探索開始から所定の時間が経過した場合、前記ペアリング制御手段は、前記第２の無線通信手段を用いて取得される前記対向機器からの機器情報とセキュリティ情報に基づいて、前記第２の無線通信手段を用いて前記対向機器との間でのペアリングを制御することを特徴とする請求項１に記載の通信端末。
【請求項３】
前記機器探索制御手段が前記第１の無線通信手段を用いた前記対向機器の探索に成功しないままで前記第１の無線通信手段を用いた前記対向機器の探索開始から所定の時間が経過した場合、前記機器探索制御手段による前記第２の無線通信手段を用いた前記対向機器の探索結果を表示する表示手段をさらに備えることを特徴とする請求項１に記載の通信端末。
【請求項４】
前記機器探索制御手段が前記第１の無線通信手段を用いた前記対向機器の探索に成功した場合、前記機器探索制御手段による前記第１の無線通信手段を用いた前記対向機器の探索結果を表示する表示手段をさらに備えることを特徴とする請求項１に記載の通信端末。
【請求項５】
通信端末と対向機器との間で無線通信する第１の無線通信手段と、
前記通信端末と前記対向機器との間で無線通信する第２の無線通信手段と、
前記通信端末と前記対向機器とが互いに前記第１の無線通信手段により無線通信可能な範囲で近接する場合に、前記第１の無線通信手段から前記第２の無線通信手段に通信方式を切り替える通信方式切替要求に対する応答を前記第１の無線通信手段が前記対向機器から受信するとき、前記通信方式切替要求に基づいて、前記第１の無線通信手段から前記第２の無線通信手段に通信方式を切り替える通信方式切替制御手段と、
前記通信端末が対向機器の探索をする場合に前記第２の無線通信手段を用いて前記対向機器の探索の実行をバックグラウンドで開始するように前記第２の無線通信手段を制御し、前記第１の無線通信手段を用いて前記対向機器の探索に成功した場合に前記第２の無線通信手段を用いた前記対向機器の探索が実行中であるとき、記第２の無線通信手段を用いた前記対向機器の探索を継続し、前記通信方式切替制御手段が前記第１の無線通信手段から前記第２の無線通信手段に通信方式を切り替える場合に前記第２の無線通信手段を用いた前記対向機器の探索が実行中であるとき、記第２の無線通信手段を用いた前記対向機器の探索を停止する機器探索制御手段と、
前記機器探索制御手段が前記第１の無線通信手段を用いた前記対向機器の探索に成功した場合に前記通信方式切替制御手段が前記第１の無線通信手段から前記第２の無線通信手段に通信方式を切り替えた後、前記第２の無線通信手段が接続要求に対する接続応答を受信するとき、前記第１の無線通信手段を用いて取得される前記対向機器からの機器情報とセキュリティ情報に基づいて、前記第２の無線通信手段を用いて前記対向機器との間でのペアリングを制御するペアリング制御手段とを備えることを特徴とする通信端末。
【請求項６】
前記機器探索制御手段が前記第１の無線通信手段を用いた前記対向機器の探索に成功しないままで前記第１の無線通信手段を用いた前記対向機器の探索開始から所定の時間が経過した場合、前記ペアリング制御手段は、前記第２の無線通信手段を用いて取得される前記対向機器からの機器情報とセキュリティ情報に基づいて、前記第２の無線通信手段を用いて前記対向機器との間でのペアリングを制御することを特徴とする請求項５に記載の通信端末。
【請求項７】
前記機器探索制御手段が前記第１の無線通信手段を用いた前記対向機器の探索に成功しないままで前記第１の無線通信手段を用いた前記対向機器の探索開始から所定の時間が経過した場合、前記機器探索制御手段による前記第２の無線通信手段を用いた前記対向機器の探索結果を表示する表示手段をさらに備えることを特徴とする請求項５に記載の通信端末。
【請求項８】
前記機器探索制御手段が前記第１の無線通信手段を用いた前記対向機器の探索に成功した場合、前記機器探索制御手段による前記第１の無線通信手段を用いた前記対向機器の探索結果を表示する表示手段をさらに備えることを特徴とする請求項５に記載の通信端末。
【請求項９】
前記第１の無線通信手段は、NFCを用いた非接触の通信方式であることを特徴とする請求項１および請求項５のいずれかに記載の通信端末。
【請求項１０】
前記第２の無線通信手段は、BluetoothまたはWLANの通信方式であることを特徴とする請求項１および請求項５のいずれかに記載の通信端末。
【発明の詳細な説明】
【技術分野】
【０００１】
本発明は通信端末に係り、特に、２つの無線通信部を用いて対向機器を効率的に探索することができるようにした通信端末に関する。
【背景技術】
【０００２】
近年、携帯電話機を含む通信端末に適用することができる無線通信技術として例えばブルートゥース（Bluetooth（登録商標））が知られている。ブルートゥースの無線通信技術を用いることにより、携帯電話機を含む通信端末は、オーディオケーブルを用いることなくヘッドセットなどの対向機器にオーディオデータを転送することができる。携帯電話機を含む通信端末がブルートゥースの無線通信技術を用いてペアリングする場合の仕様として、Bluetooth SIGで規定されるBluetooth Specification version2.1+EDR（非特許文献１参照）が知られている。一方、携帯電話機を含む通信端末がNFC（Near Field Communication）によってハンドオーバー（通信方式を切り替える）する他の無線通信方式を決定するためのネゴシエーションに関する仕様として、NFC（Near Field Communication） Forumで規定されるConnection Handover Technical Specification（非特許文献２参照）が知られている。なお、NFCは、１０乃至３０ｃｍ程度の距離で行われる近距離無線通信技術の国際規格である。
【０００３】
Bluetooth Specification version2.1+EDRとConnection Handover Technical Specificationの２つの仕様に準拠する通信端末は、少なくともブルートゥースの無線通信方式に適用可能な通信部と、NFCの無線通信方式に適用可能な通信部を有しており、異なる２つの通信方式の間でハンドオーバー（通信方式を切り替える）することができる。
【先行技術文献】
【非特許文献】
【０００４】
【非特許文献１】Bluetooth Specification version2.1+EDR（Bluetooth SIG）
【非特許文献２】Connection Handover Technical Specification（NFC Forum）
【発明の概要】
【発明が解決しようとする課題】
【０００５】
Bluetooth Specification version2.1+EDRにおいてはSecure Simple Pairing（SSP）と呼ばれるペアリング方式が規定されている。このSSPのペアリング方式のうちの１つとしてOut Of Band（OOB）と呼ばれるペアリング方式が規定される。このOOBと呼ばれるペアリング方式の場合、通信端末は、ブルートゥースを用いて近距離無線通信する対向機器との間でのペアリングする際に必要となる対向機器の機器情報とセキュリティ情報を、ブルートゥース以外の通信方式（例えばNFCの無線通信方式など）を用いて対向機器から取得する仕組みを定めている。
【０００６】
Bluetooth Specification version2.1+EDRとConnection Handover Technical Specificationの２つの仕様に準拠する通信端末は、NFCを用いたネゴシエーションに基づいて、NFCの通信方式とは異なる通信方式であるブルートゥースにハンドオーバーする（通信方式を切り替える）。このとき、ユーザは、互いにNFC通信可能な程度に近距離に２つの通信端末を近づけることにより、通信端末に対してNFCを用いたハンドオーバーするためのネゴシエーションを内部的に実行させ、ブルートゥースによるペアリング処理を開始させることができる。このように２つの通信端末を近づける（タッチする）という操作は、ユーザビリティを考慮すると、ペアリング要求を意図する方法として非常に合理的な方法である。２つの通信端末を近づける（タッチする）という操作は、将来的に、通信端末の周囲に存在する対向機器を探索して探索結果の一覧からユーザが機器を選択した後に選択された機器への接続を試行するという従来の操作に置き換わり得る操作であると考えられる。
【０００７】
しかしながら、すべての通信端末がブルートゥースの無線通信方式に適用可能な通信部以外に、NFCの無線通信方式に適用可能な通信部を必ず有している訳ではない。通信端末がブルートゥース通信を用いて接続を確立しようとする対向機器がNFCの無線通信方式に適用可能な通信部を有していない場合、たとえ通信端末がこの対向機器に対してNFCを用いたハンドオーバーするためのネゴシエーションを開始しようとしても、NFCの無線通信方式を用いて通信することができない。そのため、このような場合、通信端末は、従来の操作に従って対向機器の探索を行う必要がある。そこで、通信端末は、対向機器との間でブルートゥース通信を用いて接続を確立しようとする場合、まず、互いにNFC通信可能な程度に近距離に２つの通信端末を近づけた上で、NFCの無線通信方式に適用可能な通信部を搭載しているか否かを確認し、NFCの無線通信方式に適用可能な通信部が搭載されていない場合、この確認後に従来の操作に従って対向機器の探索を行うことになる。
【０００８】
そうすると、NFCの無線通信方式に適用可能な通信部を搭載していない対向機器の場合、通信端末は、対向機器に関する機器情報などを取得するまでに多くの時間を要してしまうという課題が生ずる。ところが、Bluetooth Specification version2.1+EDRとConnection Handover Technical Specificationの２つの仕様のいずれにおいても、このような課題を解決するための実運用上の動作について何ら規定されていない。
【０００９】
本発明は、このような状況に鑑みてなされたものであり、第１の通信部から第２の通信部に通信方式を切り替えることが可能な通信端末において、対向機器を効率的に探索することができる通信端末を提供することを目的とする。
【課題を解決するための手段】
【００１０】
本発明の通信端末は、上述した課題を解決するために、通信端末と対向機器との間で無線通信する第１の無線通信手段と、通信端末と対向機器との間で無線通信する第２の無線通信手段と、通信端末と対向機器とが互いに第１の無線通信手段により無線通信可能な範囲で近接する場合に、第１の無線通信手段から第２の無線通信手段に通信方式を切り替える通信方式切替要求に対する応答を第１の無線通信手段が対向機器から受信するとき、通信方式切替要求に基づいて、第１の無線通信手段から第２の無線通信手段に通信方式を切り替える通信方式切替制御手段と、通信端末が対向機器の探索をする場合に第２の無線通信手段を用いて対向機器の探索の実行をバックグラウンドで開始するように第２の無線通信手段を制御し、第１の無線通信手段を用いて対向機器の探索に成功したとき、バックグラウンドで実行される第２の無線通信手段を用いた対向機器の探索を中断する機器探索制御手段と、機器探索制御手段が第１の無線通信手段を用いた対向機器の探索に成功した場合に通信方式切替制御手段が第１の無線通信手段から第２の無線通信手段に通信方式を切り替えた後、第２の無線通信手段が接続要求に対する接続応答を受信するとき、第１の無線通信手段を用いて取得される対向機器からの機器情報とセキュリティ情報に基づいて、第２の無線通信手段を用いて対向機器との間でのペアリングを制御するペアリング制御手段とを備えることを特徴とする。
【００１１】
本発明の通信端末は、上述した課題を解決するために、通信端末と対向機器との間で無線通信する第１の無線通信手段と、通信端末と対向機器との間で無線通信する第２の無線通信手段と、通信端末と対向機器とが互いに第１の無線通信手段により無線通信可能な範囲で近接する場合に、第１の無線通信手段から第２の無線通信手段に通信方式を切り替える通信方式切替要求に対する応答を第１の無線通信手段が対向機器から受信するとき、通信方式切替要求に基づいて、第１の無線通信手段から第２の無線通信手段に通信方式を切り替える通信方式切替制御手段と、通信端末が対向機器の探索をする場合に第２の無線通信手段を用いて対向機器の探索の実行をバックグラウンドで開始するように第２の無線通信手段を制御し、第１の無線通信手段を用いて対向機器の探索に成功した場合に第２の無線通信手段を用いた対向機器の探索が実行中であるとき、記第２の無線通信手段を用いた対向機器の探索を継続し、通信方式切替制御手段が第１の無線通信手段から第２の無線通信手段に通信方式を切り替える場合に第２の無線通信手段を用いた対向機器の探索が実行中であるとき、記第２の無線通信手段を用いた対向機器の探索を停止する機器探索制御手段と、機器探索制御手段が第１の無線通信手段を用いた対向機器の探索に成功した場合に通信方式切替制御手段が第１の無線通信手段から第２の無線通信手段に通信方式を切り替えた後、第２の無線通信手段が接続要求に対する接続応答を受信するとき、第１の無線通信手段を用いて取得される対向機器からの機器情報とセキュリティ情報に基づいて、第２の無線通信手段を用いて対向機器との間でのペアリングを制御するペアリング制御手段とを備えることを特徴とする。
【発明の効果】
【００１２】
本発明によれば、第１の通信部から第２の通信部に通信方式を切り替えることが可能な通信端末において、対向機器を効率的に探索することができる。
【図面の簡単な説明】
【００１３】
【図１】本発明に係る通信端末に適用可能な携帯電話機の内部の構成を示すブロック図。
【図２】（Ａ）乃至（Ｃ）は、Out Of Band（OOB）と呼ばれるペアリング方式の場合に、本発明に係る携帯電話機１−１と携帯電話機１−２との間においてNFC通信部を用いた通信の様子を示す図。
【図３】携帯電話機１−１と携帯電話機１−２がブルートゥース通信部を用いてペアリングを行う場合における、図１の携帯電話機１−１におけるデバイス探索処理を説明するフローチャート。
【図４】図３のフローチャートを用いて説明するデバイス探索処理を実行する際の、携帯電話機１−１（自機）と携帯電話機１−２（対向機器）との間における具体的な処理を示すシーケンス図。
【図５】表示部が表示する対向機器の登録メニュ画面の表示例を示す図。
【図６】携帯電話機１−１と携帯電話機１−２がブルートゥース通信部を用いてペアリングを行う場合における、図１の携帯電話機１−１における他のデバイス探索処理を説明するフローチャート。
【発明を実施するための形態】
【００１４】
以下、本発明の実施の形態について、図面を参照しながら説明する。図１は、本発明に係る通信端末に適用可能な携帯電話機１の内部の構成を表している。携帯電話機１は、送受信アンテナ１１、送受信共用器１２、無線送受信部１３、信号処理部１４、データ処理部１５、ＰＣＭコーデック１６、受話増幅器１７、レシーバ１８、送話増幅器１９、マイクロフォン２０、制御部２１、操作部２２、表示部２３、コンテンツ処理部２４、ブルートゥース通信部２５、NFC通信部２６、および記憶部２７を備える。
【００１５】
送受信アンテナ１１は、携帯電話機１が対応する移動体通信システムの電波を送波し、携帯電話機１が対応する移動体通信システムの電波を受波する。送受信共用器１２は、サーキュレータやデュプレクサなどからなり、送受信アンテナ１１で受波（受信）された電波を無線送受信部１３に送る。また、送受信共用器１２は、無線送受信部１３から入力された信号を送受信アンテナ１１へ送る。無線送受信部１３は、帯域通過フィルタ、利得調整回路、およびＡ／Ｄ変換器などを備え、制御部２１から指示されるキャリア周波数の無線信号を受信し、周波数シンセサイザから出力された局部発振信号とミキシングして中間周波数信号に周波数変換（ダウンコンバート）し、ダウンコンバートされた中間周波数信号を直交復調して受信ベースバンド信号を生成する。無線送受信部１３の帯域通過フィルタは、移動体通信システムに属する基地局から送信される無線信号を受信し、この受信した信号から所望帯域外の雑音を除去する。また、無線送受信部１３の利得調整回路は、利得調整回路の後段に設けられるＡ／Ｄ変換器が扱える信号振幅に調整する。無線送受信部１３のＡ／Ｄ変換器は、帯域通過フィルタを通過した信号をベースバンドのディジタル信号に変換する。
【００１６】
信号処理部１４は、無線送受信部１３から出力された受信ベースバンド信号（受信ベースバンドディジタル信号）に対してベースバンド処理を行う。データ処理部１５は、例えばＤＳＰ（Digital Signal Processor）などからなり、信号処理部１４でベースバンド処理されたベースバンド信号をデータおよび音声に変換する。すなわち、データ処理部１５は、受信パケットデータをまずメディア毎に分離し、分離されたメディア毎のデータに対してそれぞれ復号処理を施す。具体的には、データ処理部１５は、例えば受信パケットデータにオーディオデータが含まれている場合、オーディオデータをスピーチコーデックにより復号する。また、データ処理部１５は、受信パケットデータに動画像データが含まれている場合、動画像データをビデオコーデックにより復号する。さらに、データ処理部１５は、受信パケットデータがダウンロードコンテンツである場合、ダウンロードコンテンツを伸長する。復号処理により得られたディジタルオーディオ信号は、ＰＣＭコーデック１６によりＰＣＭ復号された後、受話増幅器１７により増幅されてレシーバ１８により出力される。一方、ビデオコーデックにより復号されたディジタル動画像信号は、制御部２１を介して表示部２３に供給され表示される。
【００１７】
なお、無線送受信部１３と信号処理部１４は、移動体通信システムに属する基地局に対して通信データを送信するための送信ベースバンド処理や無線処理等の一連の処理を行う。
【００１８】
制御部２１は、CPU（Central Processing Unit）、ROM（Read Only Memory）、およびRAM（Random Access Memory）などからなる。制御部２１のCPUは、ROMに記憶されているプログラムまたは記憶部２７からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。RAMは、CPUが各種の処理を実行する上において必要なデータなどを適宜記憶する。具体的には、制御部２１は、移動体通信システムによる音声通信やデータ通信を実現する制御機能を備える。また、制御部２１は、通信制御を行う場合、送受信アンテナ１１、無線送受信部１３、信号処理部１４、データ処理部１５、ＰＣＭコーデック１６、受話増幅器１７、レシーバ１８、送話増幅器１９、およびマイクロフォン２０などを用いた通信処理を制御する。一方、制御部２１は、操作部２２、表示部２３、記憶部２７、および図示せぬ時計回路などを用いたＵＩ処理に関して制御を行う。
【００１９】
コンテンツ処理部２４は、例えば音楽プレイヤを制御する際に、例えばＡＡＣやＭＰ３などの符号化方式で符号化されたオーディオデータを、一旦、その符号化方式に対応する復号化方式で復号化した後、他の符号化方式（例えばＳＢＣ（Sub Band Coding）など）によって再符号化処理などを施す。ブルートゥース通信部２５は、携帯電話機１が備える近距離無線通信部の１つであり、例えばブルートゥース（Bluetooth（登録商標））による無線通信を行うモジュールなどからなる。ブルートゥース通信部２５は、携帯電話機１の近傍に存在するヘッドセットや他の携帯電話機１などと無線通信を行う。勿論、ブルートゥース以外の無線通信（例えば赤外線通信）を用いるようにしてもよい。
【００２０】
NFC通信部２６は、携帯電話機１が備える近距離無線通信部の１つであり、１０乃至３０ｃｍ程度の距離で行われる近距離無線通信技術の国際規格であるNFCに適用可能なモジュールからなる。NFC通信部２６は、非接触ＩＣカードとして機能し例えば交通乗車券や入退出管理カードとして用いることが可能であり、携帯電話機１が図示せぬＩＣリーダ／ライタに近接され、そのＩＣリーダ／ライタから輻射される電磁波を受信したとき、それに応じて、各種の情報を用いてＩＣリーダ／ライタと無線通信を行う。また、図１の携帯電話機１は、NFC通信部２６を備える他の携帯電話機１との間でNFCを用いてデータ通信することが可能である。NFC通信部２６を用いた近距離無線通信の場合、互いのNFC通信部２６を至近距離に近づける必要があるため、セキュリティの確認手続きが簡略化されている。
【００２１】
記憶部２７は、例えば、電気的に書換えや消去が可能な不揮発性メモリであるフラッシュメモリ素子やHDD（Hard Disc Drive）などからなり、制御部２１のCPUにより実行される種々のアプリケーションプログラムや種々のデータ群、携帯電話機１の制御プログラムや制御データを格納する。この他にも、記憶部２７は、名前と電話番号を対応づけた電話帳データや、データ通信により取得したデータやダウンロードしたデータを適宜記憶する。また、携帯電話機１は、バッテリの出力を基に所定の動作電源電圧Ｖｃｃを生成して各回路部に供給する電源回路や、現在の時刻を測定する時計回路（タイマ）を備える。
【００２２】
なお、携帯電話機１は、受話増幅器１７、受話音声信号を拡声出力するレシーバ１８、送話増幅器１９、送話音声信号を入力するマイクロフォン２０、ユーザからの要求を受け付ける操作部２３、および受信データに基づく画像を表示する表示部２４を備える。
【００２３】
ここで、本発明に係る通信端末に適用可能な携帯電話機１は、上述したように、ブルートゥース通信部２５とNFC通信部２６の２つの近距離無線通信部を備えており、ブルートゥース通信部２５とNFC通信部２６の２つの近距離無線通信部を同様に備える他の携帯電話機１（対向機器）との間でブルートゥース通信部２５を用いて無線通信する場合、まず互いのNFC通信部２６を用いて互いの携帯電話機１に固有の機器情報（デバイスアドレスなどを含む情報）をネゴシエーションによってやり取りする。次に、携帯電話機１は、NFC通信部２６を介したネゴシエーションによって取得される他の携帯電話機１の機器情報を用いて、互いのブルートゥース通信部２５によって認証処理を含むペアリングを行う。その後、携帯電話機１は、他の携帯電話機１との間でブルートゥース通信部２５を用いて無線通信する。ここで、第１段階でまずセキュリティの確認手続きが簡略化されているNFC通信部２６を用いた近距離無線通信を行い、その後、第２段階でNFC通信よりも高速にデータ通信することが可能なブルートゥース通信部２５を用いた近距離無線通信に切り替える（引き継ぐ）ことを「ハンドオーバー」と定義する。すなわち、「ハンドオーバー」とは、近距離無線通信方式の切り替えを意味する。
【００２４】
そして、NFC通信部２６を介したネゴシエーションによって取得される他の携帯電話機１の機器情報は、NFC通信部２６を介したネゴシエーション時に受信される他の携帯電話機１からのハンドオーバー応答に含まれている。本発明に係る携帯電話機１は、他の携帯電話機１からハンドオーバー応答を受信した場合、ブルートゥース通信部２５によって認証処理を含むペアリングを行う。
【００２５】
本発明に係る通信端末に適用可能な携帯電話機１は、対向機器の初期登録時に、互いにNFC通信可能な程度に近距離に２つの携帯電話機１を近づけた上で、NFCの無線通信方式に適用可能な通信部を搭載しているか否かを確認する。このとき、携帯電話機１は、NFCの無線通信方式に適用可能な通信部が搭載されていない場合に備えて、ブルートゥース通信部２５を用いたデバイス探索処理に基づく対向機器の探索をバックグラウンドで実行しておく。そして、携帯電話機１は、NFC通信部２６を用いた対向機器の探索を行い、対向機器の探索に成功し、NFC通信部２６を介したネゴシエーションによって対向機器としての他の携帯電話機１から機器情報などを取得することができた場合、バックグラウンドで実行されるブルートゥース通信部２５を用いたデバイス探索処理を中断する。あるいは、携帯電話機１は、NFC通信部２６を用いた対向機器の探索を行い、対向機器の探索に成功し、NFC通信部２６を介したネゴシエーションによって対向機器としての他の携帯電話機１から機器情報などを取得することができた場合に、バックグラウンドで実行されるブルートゥース通信部２５を用いたデバイス探索処理が実行中であればそのままデバイス探索処理を一旦継続しつつ、他の携帯電話機１からハンドオーバー応答を受信した後に通信方式をNFC通信部２６からブルートゥース通信部２５にハンドオーバーする場合に依然としてデバイス探索処理中のとき、バックグラウンドで実行されるブルートゥース通信部２５を用いたデバイス探索処理を停止する。そして、携帯電話機１は、ブルートゥース通信部２５によって認証処理を含むペアリングを行う。
【００２６】
制御部２１は、本発明に係る特徴的な機能として通信方式切替制御部３１、機器探索制御部３２、およびペアリング制御部３３を備える。制御部２１の通信方式切替制御部（ハンドオーバー制御部）３１は、ブルートゥース通信部２５を用いて近距離無線通信する対向機器（携帯電話機１など）との間でのペアリングする際に必要となる対向機器の機器情報とセキュリティ情報を、ブルートゥース以外の通信方式（例えばNFCの無線通信方式など）を用いて対向機器から取得する処理を制御する。具体的には、通信方式切替制御部３１は、ブルートゥース通信部２５を用いて近距離無線通信する対向機器との間でのペアリングする際に、NFC通信部２６を制御し、NFC通信部２６を用いて携帯電話機１の近傍に存在する他の携帯電話機１とネゴシエーションし、このネゴシエーション時に他の携帯電話機１からハンドオーバー要求またはハンドオーバー応答を受信し、互いの携帯電話機１に固有の機器情報（デバイスアドレスなどを含む情報）やセキュリティ情報をネゴシエーションによってやり取りするとともに、NFC通信方式から切り替える先の通信方式（例えばブルートゥース通信部２５による通信方式）を決定し、切り替え先の通信方式への切替え（ハンドオーバー）を制御する。
【００２７】
機器探索制御部３２は、対向機器の初期登録時に、ブルートゥース通信部２５を用いたデバイス探索処理に基づく対向機器の探索の実行をバックグラウンドで開始するように制御する。そして、機器探索制御部３２は、NFC通信部２６を用いた対向機器の探索に成功した後（NFC通信部２６を用いて対向機器を発見した場合）にNFC通信部２６を介したネゴシエーションによって対向機器としての他の携帯電話機１から機器情報などを取得することができた場合、バックグラウンドで実行されるブルートゥース通信部２５を用いたデバイス探索処理を中断する。あるいは、機器探索制御部３２は、NFC通信部２６を用いた対向機器の探索に成功した後にNFC通信部２６を介したネゴシエーションによって対向機器としての他の携帯電話機１から機器情報などを取得することができた場合に、バックグラウンドで実行されるブルートゥース通信部２５を用いたデバイス探索処理が実行中であればそのままデバイス探索処理を一旦継続しつつ、他の携帯電話機１からハンドオーバー応答を受信した後に通信方式をNFC通信部２６からブルートゥース通信部２５にハンドオーバーする場合に依然としてデバイス探索処理中のとき、バックグラウンドで実行されるブルートゥース通信部２５を用いたデバイス探索処理を停止する。
【００２８】
ペアリング制御部３３は、ブルートゥース通信部２５を用いて近距離無線通信する対向機器（他の携帯電話機１）との間でのペアリングを制御する。このペアリングは、例えばSecure Simple Pairing（SSP）と呼ばれるペアリング方式である。
【００２９】
図２（Ａ）乃至（Ｃ）は、Out Of Band（OOB）と呼ばれるペアリング方式の場合に、本発明に係る携帯電話機１−１と携帯電話機１−２との間においてNFC通信部２６を用いた通信の様子を表している。図２（Ａ）および（Ｂ）が示すように、NFC通信部２６が内蔵された携帯電話機１−１が携帯電話機１−２の近傍に接近すると、携帯電話機１−２内において携帯電話機１−１から輻射された電磁波によって電磁誘導が発生し、携帯電話機１−２は、それにより生じた電流を用いて携帯電話機１−１との間で近距離無線通信（NFC通信）によりデータの授受を行う。勿論、携帯電話機１−１を携帯電話機１−２に近づけても良いし、逆に携帯電話機１−２を携帯電話機１−１に近づけるようにしても良い。また、図２（Ｃ）が示すように、２つの携帯電話機間でNFC通信する場合、２つの携帯電話機１を互いに重ね合わせるようにしてもよい。なお、互いにNFC通信可能な程度に近距離に２つの携帯電話機を近づけることや、２つの携帯電話機１を互いに重ね合わせることを「NFCタッチ」と定義する。
【００３０】
図３のフローチャートを参照して、携帯電話機１−１と携帯電話機１−２がブルートゥース通信部２５を用いてペアリングを行う場合における、図１の携帯電話機１−１におけるデバイス探索処理について説明する。このデバイス探索処理は、例えば対向機器の初期登録時に携帯電話機１−１で実行される。なお、図４は、図３のフローチャートを用いて説明するデバイス探索処理を実行する際の、携帯電話機１−１（自機）と携帯電話機１−２（対向機器）との間における具体的な処理のシーケンスを表している。
【００３１】
ステップＳ１において、携帯電話機１−１の制御部２１は、ユーザにより操作部２２が操作されることにより新規の対向機器登録メニュ画面上で、デバイス探索を開始するとの指示を受け付ける（図４のステップＳ３１）。図５（Ａ）は、表示部２３が表示する新規の対向機器登録メニュ画面の表示例を表している。図５（Ａ）が示すように、新規の対向機器登録メニュ画面上には、デバイス探索を開始するための「検索」というコマンドが表示される。ユーザは、この「検索」というコマンドを操作部２２を用いてフォーカスして押下することで、デバイス探索を開始するとの指示を携帯電話機１−１に対してすることができる。
【００３２】
ステップＳ２において、携帯電話機１−１の機器探索制御部３２は、デバイス探索を開始するとの指示が受け付けられると、ブルートゥース通信部２５を用いたデバイス探索処理の実行をバックグラウンドで開始する（図４のステップＳ３２）。ここで、「バックグラウンドで実行する」とは、ブルートゥース通信部２５を用いたデバイス探索処理が画面に表示されていない状態で実行することを意味する。ステップＳ３において、携帯電話機１−１の制御部２１は、NFC通信部２６を用いたNFCタッチをユーザに促すメッセージを表示部２３に表示させる。図５（Ｂ）は、NFC通信部２６を用いたNFCタッチをユーザに促すメッセージを表示する表示画面を表している。図５（Ｂ）が示すように、表示部２３は例えば「NFCをかざしてくださいというメッセージ」を対向機器登録メニュ画面上に表示する。これにより、ユーザは、携帯電話機１−１を対向機器（他の携帯電話機１−２など）に対してNFCタッチすることにより、所望の対向機器を探索することができることを知ることができる。その後、携帯電話機１−１と他の対向機器としての携帯電話機１−２との間でNFCタッチが行われる。なお、本実施形態の場合、携帯電話機１−１の近傍に対向機器Ａと対向機器Ｃが存在するときに、ユーザが、携帯電話機１−１を対向機器Ａに対してNFCタッチすることを想定している。
【００３３】
ステップＳ４において、携帯電話機１−１の機器探索制御部３２は、携帯電話機１−１と携帯電話機１−２との間でNFCタッチが行われると、NFC通信部２６を用いた対向機器の探索を開始する（図４のステップＳ３３）。ステップＳ５において、機器探索制御部３２は、NFC通信部２６を用いて対向機器を発見したか、すなわち、NFC通信部を用いた対向機器の探索に成功したか否かを判断する。ステップＳ５において機器探索制御部３２がNFC通信部を用いた対向機器の探索に成功したと判断した場合、機器探索制御部３２は、NFC通信部を用いた対向機器の探索に成功したことを通信切替制御部３１に通知する。携帯電話機１−１の通信方式切替制御部３１は、NFC通信部２６を用いて携帯電話機１の近傍に存在する他の携帯電話機１−２とのネゴシエーションを開始する。携帯電話機１−１のNFC通信部２６は、他の携帯電話機１−２とのネゴシエーション中に、対向機器としての他の携帯電話機１−２に対してハンドオーバー要求を送信する（図４のステップＳ３３）。このハンドオーバー要求には、携帯電話機１−１に固有の機器情報（デバイスアドレスなどを含む情報）と、セキュリティ情報が含まれている。自機である携帯電話機１−１に固有の機器情報は「BD_ADDR=XXXXXX」である。一方、他の携帯電話機１−２に固有の機器情報は「BD_ADDR=YYYYYY」である。ステップＳ７において、携帯電話機１−１のNFC通信部２６は、他の携帯電話機１−２とのネゴシエーション中に、対向機器としての他の携帯電話機１−２からハンドオーバー要求に対する応答を受信する（図４のステップＳ３４）。
【００３４】
ステップＳ８において、携帯電話機１−１の通信方式切替制御部３１は、NFC通信部２６によって受信されたハンドオーバー要求に対する応答の中から、他の携帯電話機１−２に固有の機器情報と、セキュリティ情報を取得する。携帯電話機１−１の通信方式切替制御部３１は、取得された他の携帯電話機１−２に固有の機器情報と、セキュリティ情報をペアリング制御部３２に供給する。ステップＳ９において、通信方式切替制御部３１は、NFC通信部２６を用いた対向機器の探索に成功して対向機器に固有の機器情報とセキュリティ情報を取得した旨を機器探索制御部３２に通知するとともに、ハンドオーバー要求（通信方式をNFC通信部２６による通信方式からブルートゥース通信部２５による通信方式に切り替える要求）をブルートゥース通信部２５に対して通知し、ブルートゥース通信部２５を用いたペアリングに向けて、通信方式をNFC通信部２６からブルートゥース通信部２５に切り替える（図４のステップＳ３５）。このとき、対向機器である他の携帯電話機１−２は、携帯電話機１−１に対してNFC通信部２６を用いてハンドオーバー要求に対する応答を送信すると、携帯電話機１−２は、携帯電話機１−１と同様に、ハンドオーバー要求をブルートゥース通信部２５に対して通知し、携帯電話機１−１との間におけるブルートゥース通信部２５を用いたペアリングに向けて、通信方式をNFC通信部２６からブルートゥース通信部２５に切り替える。
【００３５】
ステップＳ１０において、機器探索制御部３２は、通信方式切替制御部３１から通知（NFC通信部２６を用いた対向機器の探索に成功して対向機器に固有の機器情報とセキュリティ情報を取得した旨の通知）を受け取ると、バックグランドで実行するブルートゥース通信部２５を用いたデバイス探索処理を中断する。これにより、NFC通信部２６を用いた対向機器の探索に成功してブルートゥース通信部２５へのハンドオーバーが行われることから、図３のデバイス探索処理の開始とほぼ同時にバックグラウンドで実行されるブルートゥース通信部２５を用いた通常のデバイス探索処理は無駄な処理であるとして中断される。ステップＳ１１において、制御部２１は、探索に成功した対向機器（他の携帯電話機１−２）に固有の機器情報に基づいて、対向機器のデバイス名（対向機器Ａのデバイス名であるDevice A）を表示部２３に表示させる（図４のステップＳ３７）。図５（Ｃ）は、対向機器登録メニュ画面上で表示されるデバイス名の表示例を表している。図５（Ｃ）が示すように、探索に成功した対向機器（他の携帯電話機１−２）に固有の機器情報に基づいて、対向機器のデバイス名として「Device A」が表示される。
【００３６】
ステップＳ１２において、制御部２１は、ユーザにより操作部２２が操作されることにより新規の対向機器登録メニュ画面上で、携帯電話機１−１が接続する対向機器の選択を受け付ける。ステップＳ１３において、携帯電話機１−１のペアリング制御部３３は、ブルートゥース通信部２５を用いて、選択が受け付けられた対向機器（例えば他の携帯電話機１−２）に対して接続要求を送信する。その後、携帯電話機１−２は、携帯電話機１−１からの接続要求に対する接続応答をブルートゥース通信部２５を介して携帯電話機１−１に送信する。ステップＳ１４において、携帯電話機１−１のペアリング制御部３３は、ブルートゥース通信部２５を用いて、選択が受け付けられた対向機器（例えば他の携帯電話機１−２）からの接続応答を受信する。ステップＳ１５において、携帯電話機１−１のペアリング制御部３３は、ステップＳ８で取得された他の携帯電話機１−２からの機器情報とセキュリティ情報に基づいて、ブルートゥース通信部２５を用いて他の携帯電話機１との間でのペアリングを実行する（図４のステップＳ３９）。その後、携帯電話機１−１のペアリング制御部３３は、ブルートゥース通信部２５を用いて認証処理を行い、携帯電話機１−１とハンドオーバー要求を許可した他の携帯電話機１−２との間でブルートゥース接続を確立する。
【００３７】
一方、ステップＳ５において機器探索制御部３２がNFC通信部を用いた対向機器の探索に成功していないと判断した場合、機器探索制御部３２はステップＳ１７で、NFC通信部２６を用いた対向機器の探索開始から所定の時間（例えば１０秒間など）が経過したか否かを判断する。ステップＳ１７において機器探索制御部３２が、NFC通信部２６を用いた対向機器の探索開始から所定の時間が経過していないと判断した場合、処理はステップＳ５に戻り、ステップＳ５以降の処理が繰り返し実行される。これにより、NFC通信部２６を用いた対向機器の探索開始から所定の時間（例えば１０秒間など）が経過するまでの間、少なくとも、NFC通信部２６を用いた対向機器の探索が実行される。ステップＳ１７において機器探索制御部３２が、NFC通信部２６を用いた対向機器の探索開始から所定の時間が経過したと判断した場合、機器探索制御部３２はステップＳ１８で、バックグランドで実行するブルートゥース通信部２５を用いたデバイス探索（対向機器の探索）に成功したか否かを判断する。ステップＳ１８において機器探索制御部３２が、バックグランドで実行するブルートゥース通信部２５を用いたデバイス探索（対向機器の探索）に成功したと判断した場合、機器探索制御部３２はステップＳ１９で、ブルートゥース通信部２５を用いて探索に成功した対向機器に固有の機器情報およびセキュリティ情報を取得する。その後、処理はステップＳ１１に進み、ステップＳ１１以降の処理においてデバイス名が表示されて、選択が受け付けられた対向機器との間でペアリング処理が行われる。
【００３８】
一方、ステップＳ１８において機器探索制御部３２が、バックグランドで実行するブルートゥース通信部２５を用いたデバイス探索（対向機器の探索）に失敗したと判断した場合、制御部２１はステップＳ２０で、探索失敗のメッセージを表示部２３に表示させる。探索失敗メッセージは例えば「機器の検索に失敗しました。」などである。
【００３９】
本発明に係る通信端末に適用可能な携帯電話機は、第１の無線通信部（NFC通信部２６）を用いて通信端末と対向機器との間で無線通信し、第２の無線通信部（ブルートゥース通信部２５）を用いて通信端末と前記対向機器との間で無線通信し、通信端末と対向機器とが互いに第１の無線通信部により無線通信可能な範囲で近接する場合に、第１の無線通信部から第２の無線通信部に通信方式を切り替える通信方式切替要求に対する応答を第１の無線通信部が対向機器から受信するとき、通信方式切替要求に基づいて、第１の無線通信部から第２の無線通信部に通信方式を切り替え、通信端末が対向機器の探索をする場合に第２の無線通信部を用いて対向機器の探索の実行をバックグラウンドで開始するように第２の無線通信部を制御し、第１の無線通信部を用いて対向機器の探索に成功したとき、バックグラウンドで実行される第２の無線通信部を用いた対向機器の探索を中断し、第１の無線通信部を用いた対向機器の探索に成功した場合に第１の無線通信部から第２の無線通信部に通信方式を切り替えた後、第２の無線通信部が接続要求に対する接続応答を受信するとき、第１の無線通信部を用いて取得される対向機器からの機器情報とセキュリティ情報に基づいて、第２の無線通信部を用いて対向機器との間でのペアリングを制御することができる。
【００４０】
これにより、本発明に係る通信端末に適用可能な携帯電話機は、NFCの無線通信方式に適用可能な通信部を搭載していない対向機器の場合に、通信端末は、対向機器に関する機器情報などを取得するまでに多くの時間を要してしまうことを防止することができ、第１の無線通信部（NFC通信部２６）から第２の無線通信部（ブルートゥース通信部２５）に通信方式を切り替えることが可能な対向機器であるか否かに関係なく、対向機器を効率的に探索することができることができる。その結果、本発明に係る通信端末に適用可能な携帯電話機は、NFCの無線通信方式に適用可能な通信部を搭載していない既存の対向機器を探索する場合であっても、対向機器を効率的に探索することができることができ、シームレスに対向機器とペアリングして接続を確立することができる。
【００４１】
なお、ブルートゥース通信部２５の代わりに、第２の無線通信部としてWLANを用いるようにしてもよいし、他の無線通信手段を用いるようにしてもよい。
【００４２】
図６のフローチャートを参照して、携帯電話機１−１と携帯電話機１−２がブルートゥース通信部２５を用いてペアリングを行う場合における、図１の携帯電話機１−１における他のデバイス探索処理について説明する。なお、図６のステップＳ５１乃至Ｓ５５、ステップＳ５８乃至ステップＳ６１、およびステップＳ６４乃至Ｓ７３は、図３のステップＳ１乃至Ｓ９およびステップＳ１１乃至Ｓ２０の処理と同様であり、その説明は繰り返しになるので省略する。
【００４３】
ステップＳ５５において機器探索制御部３２がNFC通信部を用いた対向機器の探索に成功したと判断した場合、機器探索制御部３２はステップＳ５６で、ブルートゥース通信部２５を用いた対向機器の探索中であるか否かを判断する。ステップＳ５６において機器探索制御部３２が、ブルートゥース通信部２５を用いた対向機器の探索中であると判断した場合、機器探索制御部３２はステップＳ５７で、バックグランドで実行するブルートゥース通信部２５を用いたデバイス探索処理を一旦継続するようにブルートゥース通信部２５を制御する。一方、ステップＳ５６において機器探索制御部３２が、ブルートゥース通信部２５を用いた対向機器の探索中ではないと判断した場合、ステップＳ５７の処理はスキップされる。
【００４４】
その後、ステップＳ６１においてNFC通信部２６からブルートゥース通信部２５に通信方式が切り替えられた後、機器探索制御部３２はステップＳ６２で、ブルートゥース通信部２５を用いた対向機器の探索中であるか否かを判断する。ステップＳ６２において機器探索制御部３２が、ブルートゥース通信部２５を用いた対向機器の探索中であると判断した場合、機器探索制御部３２はステップＳ６３で、バックグランドで実行するブルートゥース通信部２５を用いたデバイス探索処理を停止するようにブルートゥース通信部２５を制御する。これにより、NFC通信部２６を用いた対向機器の探索に成功してブルートゥース通信部２５へのハンドオーバーが行われることから、図６のデバイス探索処理の開始とほぼ同時にバックグラウンドで実行されるブルートゥース通信部２５を用いた通常のデバイス探索処理は無駄な処理であるとして停止される。一方、ステップＳ５６２において機器探索制御部３２が、ブルートゥース通信部２５を用いた対向機器の探索中ではないと判断した場合、ステップＳ６３の処理はスキップされる。
【００４５】
これにより、本発明に係る通信端末に適用可能な携帯電話機は、NFCの無線通信方式に適用可能な通信部を搭載していない対向機器の場合に、通信端末は、対向機器に関する機器情報などを取得するまでに多くの時間を要してしまうことを防止することができるとともに、ブルートゥース通信部２５を用いた対向機器の探索を極力維持しつつNFC通信部２６を用いた対向機器の探索を行うことができ、対向機器を効率的に探索することができることができる。
【００４６】
なお、本発明の実施形態において説明した一連の処理は、ソフトウェアにより実行させることもできるが、ハードウェアにより実行させることもできる。
【００４７】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００４８】
１（１−１乃至１−２）…携帯電話機、１１…送受信アンテナ、１２…送受信共用器、１３…無線送受信部、１４…信号処理部、１５…データ処理部、１６…ＰＣＭコーデック、１７…受話増幅器、１８…レシーバ、１９…送話増幅器、２０…マイクロフォン、２１…制御部、２２…操作部、２３…表示部、２４…コンテンツ処理部、２５…ブルートゥース通信部、２６…NFC通信部、２７…記憶部、３１…通信方式切替制御部、３２…機器探索制御部、３３…ペアリング制御部。
【図１】
2011155593.tif 000003
【図２】
2011155593.tif 000004
【図３】
2011155593.tif 000005
【図４】
2011155593.tif 000006
【図５】
2011155593.tif 000007
【図６】
2011155593.tif 000008